(57)【要約】【課題】医師（医療機関）の間で、最新且つ有効な医療解説情報を多く収集すると共に、患者にその医療解説情報を容易に理解させるコンテンツを公開することができる医療解説情報公開方法等を提供する。【解決手段】医療解説情報の提供側となる第１の端末が、医療解説情報を、情報公開サーバへ送信する。情報公開サーバが、医療解説情報に基づいて編集不可能なマルチメディアコンテンツを作成し、公開し、医療解説情報の利用側となる第２の端末が、そのマルチメディアコンテンツを閲覧する。第２の端末が、利用者の操作に応じてマルチメディアコンテンツの購入要求を、情報公開サーバへ送信することによって、情報公開サーバが、マルチメディアコンテンツにプロテクト処理をし、そのプロテクトコンテンツを、第２の端末へ送信する。【選択図】図２
2008123544.tif 000002
【特許請求の範囲】
【請求項１】
医療解説情報を公開する情報公開サーバを備えたネットワークシステムにおける医療解説情報公開方法であって、
医療解説情報の提供側となる第１の端末が、医療解説情報を、前記情報公開サーバへ送信する第１のステップと、
前記情報公開サーバが、前記医療解説情報に基づいて編集不可能なマルチメディアコンテンツを作成する第２のステップと、
前記情報公開サーバが、前記マルチメディアコンテンツを公開する第３のステップと、
前記医療解説情報の利用側となる第２の端末が、前記情報公開サーバによって公開された前記マルチメディアコンテンツを閲覧する第４のステップと、
第２の端末が、利用者の操作に応じて前記マルチメディアコンテンツの購入要求を、前記情報公開サーバへ送信する第５のステップと、
前記情報公開サーバが、前記マルチメディアコンテンツにプロテクト処理をし、プロテクトコンテンツを作成する第６のステップと、
前記情報公開サーバが、前記プロテクトコンテンツを、第２の端末へ送信する第７のステップと
を有することを特徴とする医療解説情報公開方法。
【請求項２】
前記マルチメディアコンテンツは、アニメーションによって構成されたFlash（登録商標）ファイル(.swf)であり、
前記プロテクトコンテンツは、前記Flashファイルを実行形式ファイル(.exe)に変換し、該実行形式ファイルを暗号化したコンテンツである
ことを特徴とする請求項１に記載の医療解説情報公開方法。
【請求項３】
第７のステップについて、前記情報公開サーバは、前記プロテクトコンテンツを第２の端末へ送信した際に、第２の端末の所有者識別子に対して課金処理を実行することを特徴とする請求項１又は２に記載の医療解説情報公開方法。
【請求項４】
前記医療解説情報は、インフォームド・コンセント（Informed Consent、納得診療）情報であることを特徴とする請求項１から３のいずれか１項に記載の医療解説情報公開方法。
【請求項５】
医療解説情報を公開する情報公開サーバであって、
医療解説情報の提供側となる第１の端末から、医療解説情報を受信する医療解説情報収集手段と、
前記医療解説情報に基づいて編集不可能なマルチメディアコンテンツを作成するコンテンツ作成手段と、
前記マルチメディアコンテンツを公開するコンテンツ公開手段と、
医療解説情報の利用側となる第２の端末から、前記マルチメディアコンテンツの購入要求を受信する購入要求受信手段と、
前記マルチメディアコンテンツにプロテクト処理をし、プロテクトコンテンツを作成するコンテンツプロテクト処理手段と、
前記プロテクトコンテンツを、第２の端末へ送信するプロテクトコンテンツ送信手段と
を有することを特徴とする情報公開サーバ。
【請求項６】
前記マルチメディアコンテンツは、アニメーションによって構成されたFlashファイル(.swf)であり、
前記プロテクトコンテンツは、前記Flashファイルを実行形式ファイル(.exe)に変換し、該実行形式ファイルを暗号化したコンテンツである
ことを特徴とする請求項５に記載の情報公開サーバ。
【請求項７】
前記プロテクトコンテンツ送信手段が前記プロテクトコンテンツを第２の端末へ送信した際に、第２の端末の所有者識別子に対して課金処理を実行する課金処理手段を更に有することを特徴とする請求項５又は６に記載の情報公開サーバ。
【請求項８】
前記医療解説情報は、インフォームド・コンセント情報であることを特徴とする請求項５から７のいずれか１項に記載の情報公開サーバ。
【請求項９】
サーバに搭載されたコンピュータを機能させる医療解説情報公開用のプログラムであって、
医療解説情報の提供側となる第１の端末から、医療解説情報を受信する医療解説情報収集手段と、
前記医療解説情報に基づいて編集不可能なマルチメディアコンテンツを作成するコンテンツ作成手段と、
前記マルチメディアコンテンツを公開するコンテンツ公開手段と、
医療解説情報の利用側となる第２の端末から、前記マルチメディアコンテンツの購入要求を受信する購入要求受信手段と、
前記マルチメディアコンテンツにプロテクト処理をし、プロテクトコンテンツを作成するコンテンツプロテクト処理手段と、
前記プロテクトコンテンツを、第２の端末へ送信するプロテクトコンテンツ送信手段と
してコンピュータを機能させることを特徴とする医療解説情報公開用のプログラム。
【発明の詳細な説明】
【技術分野】
【０００１】
本発明は、医療解説情報を公開する医療解説情報公開方法、サーバ及びプログラムに関する。
【背景技術】
【０００２】
実際の医療現場では、医師は、患者に対して、医療行為の前に、その医療行為の利益及び不利益について十分に説明した上で、その同意を得る義務（納得診療、Informed Consent、以下「ＩＣ」と称す）がある。その際の医療解説情報としては、例えば、医療行為の内容（投薬・手術・検査、臨床試験結果など）やその作用効果だけではなく、代替治療、副作用、成功率、費用などの情報も含まれる。
【０００３】
特に、近年は、医療行為に対する「患者の選択権」が重視されつつある。そのために、例えば、医師が、高度な医療技術を施したにも拘わらず、ＩＣの不備のために、医療訴訟で敗訴する事例も増えてきている。このような事例は、現在の医療訴訟の最重要課題となっている。
【０００４】
図１は、実際の医療現場における納得診療ＩＣのやりとりを表す説明図である。
【０００５】
医師は、待ち行列に組み込まれた患者に対して、１対１で、診察及び医療行為だけでなく、その医療行為の前に、口頭で医療解説をしている。例えば、医師が、「大腸癌かも・・・、内視鏡で検査し・・・、ポリープがあれば・・・、切除し・・」と医療解説をするだけで、患者としては、「医師の技術」「医師の説明」「窓口業務」「院内環境」「看護婦の技術」「交通の便」等々、様々な疑問点ついて、医師に質問したいと考える。患者の立場からは、医師が、患者毎に対するＩＣに、多大な時間をかけることを要求する。
【０００６】
一方で、医師の立場からは、ＩＣのために、実際の医療行為の時間自体が圧迫されること問題とする（例えば非特許文献１参照）。ＩＣの必要性は疑いないものであるが、最も重要なことは医師の医療行為自体であって、ＩＣのためにその医療行為の時間が圧迫されては本末転倒だからである。即ち、その医療行為における利益及び不利益が、患者に十分理解されればいいのであって、医師自らが、ＩＣに多大な時間をかけることに疑問もある。実際の医療現場では、ＩＣが、医師の疲弊を招き、「医療崩壊」の一因となっていることも事実である。
【０００７】
医療機関としては、具体的な医療行為の内容を説明するために、実際に撮影した映像コンテンツを、パーソナルコンピュータのようなＩＴ機器で再生して視聴させるシステムを導入することも考えている。具体的には、医療機関が、専門分野毎に及び病状毎に、患者に対するＩＣの内容のマルチメディアファイルを作成する。ファイルをＣＤ−ＲＯＭに格納し、例えば待合室のパーソナルコンピュータ等で患者に閲覧させることができる。また、患者に販売される場合もある。
【０００８】
このようにして、医師は、患者に対して、ＩＣのために多くの時間を要した上で、患者の同意を得ることができる。この時点から、医師による実際の医療行為が実行されることとなる。
【０００９】
【非特許文献１】ウィキペディア（Wikipedia）、「インフォームド・コンセント」、[online]、［平成１９年１２月２９日検索］、インターネット＜ＵＲＬ：http://ja.wikipedia.org/wiki/%E3%82%A4%E3%83%B3%E3%83%95%E3%82%A9%E3%83%BC%E3%83%A0%E3%83%89%E3%83%BB%E3%82%B3%E3%83%B3%E3%82%BB%E3%83%B3%E3%83%88＞
【発明の開示】
【発明が解決しようとする課題】
【００１０】
本来、医療行為とは、ガイドライン化された標準的な行為である。我国の医療行為については、９５％以上が共通ガイドラインの範囲で行われ、医師毎の最良の範囲は極めて小さいものである。それにも拘わらず、実際の医療現場では、医師が、患者毎に、同じようなＩＣの時間を費やす必要がある。現実的に、異なる医療機関であっても、ＩＣの内容自体は、ほとんど異なることは無いといえる。
【００１１】
また、医療機関が、患者に視聴させる映像コンテンツを作成しようとすると、コンテンツ作成事業者に依頼しなければならないために多大な時間を要し、その内容も医学専門化のために監修料も必要となり多額の費用も要する。また、病状の異なる患者毎に、これら映像コンテンツを備えておくことは、現実的に問題がある。特に、日々進歩する医療技術に照らして、そのコンテンツの内容も直ぐに陳腐化する。
【００１２】
更に、インターネット上に公開された多くの「医療解説情報」は、集客を目的に作成されており、その専門分野の多くの医師によって承認又は認定された情報ではない。患者は情報の信憑性、公平性及び責任所在に疑問を持っている場合も多く、ＩＣの代用になるほど良質の情報とはいえない。公的な医療機関のサイトでは、比較的、信頼性が高く且つ公平な情報が多く公開されているが、そのメディアの多くがＰＤＦ文書であって、患者に対する医療解説の理解を容易にするものでもない。
【００１３】
更に、医師の間でも「患者に対して、ＩＴ機器のユーザインターフェイスは、どのように使用すれば、どこまで医師の代用になるのか？」という点で、共通の理想的なシステムについて全く検討されていない。
【００１４】
そこで、本発明は、医師（医療機関）の間で、最新且つ有効な医療解説情報を多く収集すると共に、患者にその医療解説情報を容易に理解させるコンテンツを公開することができる医療解説情報公開方法、サーバ及びプログラムを提供することを目的とする。
【課題を解決するための手段】
【００１５】
本発明によれば、医療解説情報を公開する情報公開サーバを備えたネットワークシステムにおける医療解説情報公開方法であって、
医療解説情報の提供側となる第１の端末が、医療解説情報を、情報公開サーバへ送信する第１のステップと、
情報公開サーバが、医療解説情報に基づいて編集不可能なマルチメディアコンテンツを作成する第２のステップと、
情報公開サーバが、マルチメディアコンテンツを公開する第３のステップと、
医療解説情報の利用側となる第２の端末が、情報公開サーバによって公開されたマルチメディアコンテンツを閲覧する第４のステップと、
第２の端末が、利用者の操作に応じてマルチメディアコンテンツの購入要求を、情報公開サーバへ送信する第５のステップと、
情報公開サーバが、マルチメディアコンテンツにプロテクト処理をし、プロテクトコンテンツを作成する第６のステップと、
情報公開サーバが、プロテクトコンテンツを、第２の端末へ送信する第７のステップと
を有することを特徴とする。
【００１６】
本発明の医療解説情報公開方法における他の実施形態によれば、
マルチメディアコンテンツは、アニメーションによって構成されたFlash（登録商標）ファイル(.swf)であり、
プロテクトコンテンツは、Flashファイルを実行形式ファイル(.exe)に変換し、該実行形式ファイルを暗号化したコンテンツであることも好ましい。
【００１７】
本発明の医療解説情報公開方法における他の実施形態によれば、第７のステップについて、情報公開サーバは、プロテクトコンテンツを第２の端末へ送信した際に、第２の端末の所有者識別子に対して課金処理を実行することも好ましい。
【００１８】
本発明の医療解説情報公開方法における他の実施形態によれば、医療解説情報は、インフォームド・コンセント情報であることも好ましい。
【００１９】
本発明によれば、医療解説情報を公開する情報公開サーバであって、
医療解説情報の提供側となる第１の端末から、医療解説情報を受信する医療解説情報収集手段と、
医療解説情報に基づいて編集不可能なマルチメディアコンテンツを作成するコンテンツ作成手段と、
マルチメディアコンテンツを公開するコンテンツ公開手段と、
医療解説情報の利用側となる第２の端末から、マルチメディアコンテンツの購入要求を受信する購入要求受信手段と、
マルチメディアコンテンツにプロテクト処理をし、プロテクトコンテンツを作成するコンテンツプロテクト処理手段と、
プロテクトコンテンツを、第２の端末へ送信するプロテクトコンテンツ送信手段と
を有することを特徴とする。
【００２０】
本発明の医療解説情報の情報公開サーバにおける他の実施形態によれば、
マルチメディアコンテンツは、アニメーションによって構成されたFlashファイル(.swf)であり、
プロテクトコンテンツは、Flashファイルを実行形式ファイル(.exe)に変換し、該実行形式ファイルを暗号化したコンテンツであることも好ましい。
【００２１】
本発明の医療解説情報の情報公開サーバにおける他の実施形態によれば、プロテクトコンテンツ送信手段がプロテクトコンテンツを第２の端末へ送信した際に、第２の端末の所有者識別子に対して課金処理を実行する課金処理手段を更に有することも好ましい。
【００２２】
本発明の医療解説情報の情報公開サーバにおける他の実施形態によれば、医療解説情報は、インフォームド・コンセント情報であることも好ましい。
【００２３】
本発明によれば、サーバに搭載されたコンピュータを機能させる医療解説情報公開用のプログラムであって、
医療解説情報の提供側となる第１の端末から、医療解説情報を受信する医療解説情報収集手段と、
医療解説情報に基づいて編集不可能なマルチメディアコンテンツを作成するコンテンツ作成手段と、
マルチメディアコンテンツを公開するコンテンツ公開手段と、
医療解説情報の利用側となる第２の端末から、マルチメディアコンテンツの購入要求を受信する購入要求受信手段と、
マルチメディアコンテンツにプロテクト処理をし、プロテクトコンテンツを作成するコンテンツプロテクト処理手段と、
プロテクトコンテンツを、第２の端末へ送信するプロテクトコンテンツ送信手段と
してコンピュータを機能させることを特徴とする。
【発明の効果】
【００２４】
本発明の医療解説情報公開方法、サーバ及びプログラムによれば、医師（医療機関）の間で、最新且つ有効な医療解説情報を多く収集すると共に、患者にその医療解説情報を容易に理解させるコンテンツを公開することができる。
【発明を実施するための最良の形態】
【００２５】
以下では、図面を用いて、本発明を実施するための最良の形態について詳細に説明する。
【００２６】
図２は、本発明におけるシステム構成図である。
【００２７】
図２によれば、医療解説情報を公開するための情報公開サーバ１が、インターネット４を介して、医療解説情報の提供側の第１の端末２と、医療解説情報の利用側の第２の端末３とに接続されている。本発明における医療解説情報とは、主にインフォームド・コンセント情報を意味する。
【００２８】
（Ｓ２０１）第１の端末２は、医療解説情報の提供側となる医師によって操作されている。医師の操作によって、第１の端末２は、医療解説情報を情報公開サーバ１へ送信する。
【００２９】
情報公開サーバ１は、医療解説情報に基づいて編集不可能なマルチメディアコンテンツを作成する。マルチメディアコンテンツは、アニメーションによって構成されたFlash（登録商標）ファイル(.swf)であることが好ましい。
【００３０】
ここで、Flashファイルについて説明する。「Flash」とは、Macromedia社（現在のAdobe社）が開発した、音声やベクターグラフィックス（頂点とそれを結ぶ曲線の方程式のパラメータ）のアニメーションを組み合わせてＷｅｂコンテンツを作成することができるソフトウェアである。これによって作成されたFlashコンテンツは、マウスやキーボードを用いて、閲覧者との間で双方向コミュニケーションを実現することができる。Flashコンテンツの拡張子には、.swfが用いられる。このFlashコンテンツは、Flashプレーヤというプラグインソフト（無償）を用いて再生される。「Flash」は、ベクターグラフィックスであるので、ファイルサイズが小さく、実用に耐えるアニメーションツールとして、広く普及している。尚、三次元アニメーションを作成するソフトウェアとしては、Shockwaveコンテンツがある。
【００３１】
（Ｓ２０２）情報公開サーバ１は、作成したFlashコンテンツを、Ｗｅｂインタフェースによって公開する。
【００３２】
（Ｓ２０３）第２の端末３は、医療解説情報の利用者側となる医師によって操作されている。医師の操作によって、情報公開サーバ１によって公開されたFlashコンテンツを閲覧することができる。
【００３３】
（Ｓ２０４）医師は、患者に視認させたいと思うFlashコンテンツを選択し、そのコンテンツの購入要求を、情報公開サーバ１へ送信する。
【００３４】
（Ｓ２０５）情報公開サーバ１は、購入要求を受信すると、そのFlashコンテンツにコピープロテクト処理をし、プロテクトコンテンツを作成する。プロテクトコンテンツは、例えば、Flashファイルを実行形式ファイル(.exe、プロジェクタファイル)に変換し、その実行形式ファイルを暗号化したコンテンツである。情報公開サーバ１は、そのプロテクトコンテンツを、第２の端末３へダウンロードする。第２の端末３は、そのプロテクトコンテンツを蓄積保持する。
【００３５】
（Ｓ２０６）第２の端末３は、Flashプレーヤを用いて、蓄積されたプロテクトコンテンツのプロテクトを外した後、再生する。患者は、ＩＣ内容のそのマルチメディアコンテンツを視聴することができる。
【００３６】
図３は、本発明における情報公開サーバの機能構成図である。
【００３７】
医療解説情報を公開するための情報公開サーバ１は、ネットワークインタフェース部１００と、医療解説情報収集部１０１と、コンテンツ作成部１０２と、コンテンツ蓄積部１０３と、コンテンツ公開部１０４と、購入要求受信部１０５と、コンテンツプロテクト処理部１０６と、プロテクトコンテンツ送信部１０７と、課金処理部１０８とを有する。これら機能部は、サーバに搭載されたコンピュータ（プロセッサ）を機能させるプログラムを実行することによって実現されるものであってもよい。
【００３８】
ネットワークインタフェース部１００は、インターネット４に接続し、医師が操作する多数の端末との間で、メッセージを交換する。
【００３９】
医療解説情報収集部１０１は、医療解説情報の提供側となる第１の端末から、インフォームド・コンセント情報である医療解説情報を受信する。受信した医療解説情報は、コンテンツ作成部１０２へ通知される。
【００４０】
コンテンツ作成部１０２は、医療解説情報に基づいて編集不可能なマルチメディアコンテンツを作成する。マルチメディアコンテンツは、アニメーションによって構成されたFlashファイル(.swf)である。作成されたFlashコンテンツは、コンテンツ蓄積部１０３へ通知される。
【００４１】
コンテンツ蓄積部１０３は、作成されたFlashコンテンツを蓄積する。
【００４２】
コンテンツ公開部１０４は、コンテンツ蓄積部１０３に蓄積されているFlashコンテンツを、Ｗｅｂインタフェースを介して、インターネット上に公開する。
【００４３】
購入要求受信部１０５は、医療解説情報の利用側となる第２の端末から、Flashコンテンツの購入要求を受信する。購入要求を受信した旨は、コンテンツプロテクト処理部１０６へ通知される。
【００４４】
コンテンツプロテクト処理部１０６は、購入要求がなされたFlashコンテンツを、コンテンツ蓄積部１０３から取得する。そして、コンテンツプロテクト処理部１０６は、そのFlashコンテンツにプロテクト処理をし、プロテクトコンテンツを作成する。具体的には、Flashファイルを実行形式ファイル(.exe)に変換し、その実行形式ファイルを暗号化する。プロテクトコンテンツは、プロテクトコンテンツ送信部位１０７へ通知される。
【００４５】
プロテクトコンテンツ送信部１０７は、プロテクトコンテンツを、購入要求の送信元となる第２の端末へ送信する。
【００４６】
課金処理部１０８は、プロテクトコンテンツ送信部１０７がプロテクトコンテンツを第２の端末へ送信した際に、第２の端末の所有者識別子に対して課金処理を実行する。例えば、医療解説情報の利用側医師の識別子に対して課金される。
【００４７】
図４は、本発明における医療解説情報公開方法の具体的なシーケンス図である。
【００４８】
（Ｓ４０１）第１の端末２は、医療解説情報の提供側となる医師の操作によって、医療解説情報を、情報公開サーバ１へ送信する。医療解説情報は、テキスト又は画像の情報であって、医療解説情報の記述フォーマットが予め規定されていることも好ましい。例えば、情報公開サーバ１が、医療解説情報の提供側に対してＷｅｂページを公開し、そのページに入力フォームが備えられているものであってもよい。そのＷｅｂページには、ＩＣに関する複数の質問項目の下に、入力フォームが備えられていてもよい。医師は、その入力フォームに、テキストや画像を用いて入力することができる。尚、医療解説情報の提供側医師による著作権については、二次利用許諾を認める旨のチェック欄を、Ｗｅｂページに設けることも要する。
【００４９】
（Ｓ４０２）情報公開サーバ１は、医療解説情報に基づいて編集不可能なマルチメディアコンテンツを作成する。マルチメディアコンテンツは、アニメーションによって構成されたFlashファイル(.swf)である。尚、ここで作成されたFlashファイルの著作権は、情報公開サーバの運用事業者に帰属することとなる。
【００５０】
図５は、本発明によって作成されたマルチメディアコンテンツのイメージ図である。
【００５１】
実際の医療現場で、医師が患者に医療行為を解説する際に、リアルな実写映像を用いることは、不快感を持たれることもあり、医師が考えるほど効果的ではない。患者が望んでいることは、具体的なイメージではなく、「情報」にあるからである。そのため、本発明におけるマルチメディアコンテンツは、アニメーション（漫画的描写）によって構成する。多くの患者に長時間に渡って興味を持って視聴してもらえるように、特に「日本人に親しみを感じるアニメ」のような描画構成にすることが好ましい。
【００５２】
第１の端末２から受信した医療解説情報が、テキストであれば、自動的にFlashファイルに組み込むこともできる。Flashファイルは、対話的な操作を実現するActionScript（登録商標）によって記述される。ActionScriptとは、オブジェクトに対する操作への挙動を記述する、プロトタイプベースのオブジェクト指向処理系である。具体的には、「フレームアクション」「ムービークリップアクション」「ボタンアクション」を記述することができる。また、変数には文字列を記憶させることもできるので、テキストの更新は容易である。医療解説情報とFlashコンテンツとの間に、インタフェースとしてのActionScriptを介在させることによって、医療解説情報をできる限り自動的にFlashコンテンツへ変換させることができる。
【００５３】
（Ｓ４０３）情報公開サーバ１は、医療解説情報の提供者側の第１の端末へ、作成されたFlashコンテンツに対する利用許可ライセンスを送信する。これは、最新且つ有効な医療解説情報を提供した医師に対して、そのFlashコンテンツを無料で利用できる権利を与えることを意味する。これは、ビジネス的な効果であって、できる限り多くの医師が、最新の医療解説情報を、情報公開サーバ１へ提供するように促すためのものである。
【００５４】
（Ｓ４０４）情報公開サーバ１は、作成した編集不可能なFlashコンテンツを、Ｗｅｂインタフェースによって公開する。既存のホームページと同様であって、複数のマルチメディアコンテンツを試視聴できるようにＷｅｂページ上に列挙表示したものである。
【００５５】
（Ｓ４０５、Ｓ４０６）第２の端末３は、標準のＷＷＷブラウザを備えており、医師の操作によって、情報公開サーバ１によって公開されたFlashコンテンツを閲覧することができる。医師は、専門分野毎に及び病状毎に、様々なコンテンツの中から、必要なコンテンツを選択することができる。尚、Flashコンテンツは、編集不可能であって、閲覧している時点でダウンロードして、第２の端末３内に蓄積することはできない。
【００５６】
（Ｓ４０７）情報公開サーバ１のＷｅｂページが、コンテンツ毎に「購入ボタン」が備えられていることも好ましい。医師は、そのＷｅｂページ上で、購入ボタンをマウスでクリックするだけで、第２の端末１が、そのコンテンツの識別子番号を含む購入要求メッセージを、情報公開サーバ１へ送信する。
【００５７】
（Ｓ４０８）情報公開サーバ１は、購入要求メッセージを受信すると、そのFlashコンテンツにコピープロテクト処理をし、プロテクトコンテンツを作成する。プロテクトコンテンツは、例えば、Flashファイルを実行形式ファイル(.exe、プロジェクタファイル)に変換し、その実行形式ファイルを暗号化したものである。このようなコンテンツは、Flashの付属ユーティリティで容易に実行でき、実行回数制限及び実行期間指定も可能となる。
【００５８】
（Ｓ４０９）情報公開サーバ１は、プロテクトコンテンツを、第２の端末へ送信する。これにより、第２の端末３は、プロテクトコンテンツを受信し且つ蓄積する。
【００５９】
尚、情報公開サーバ１は、プロテクトコンテンツを第２の端末３へ送信した際に、第２の端末の所有者識別子、即ち、医療解説情報の利用側の医師の識別子に対して課金処理を実行する。医療解説情報のマルチメディアコンテンツを、ビジネス目的に活用することができる。
【００６０】
（Ｓ４１０）蓄積されたプロテクトコンテンツは、Flashプレーヤによって、プロテクトが外された後、再生することができる。ＩＣ内容の情報が、第２の端末３によって再生され、患者は、それを視認することができる。その後、患者が、その医療行為について同意することによって、医師は、医療行為を実施する。即ち、患者が、ＩＣ内容の情報を視認している時間には、医師による口頭の説明を要しない。
【００６１】
（Ｓ４１１〜Ｓ４１９）前述してＳ４０１〜Ｓ４０９のシーケンスと全く同様である。ここで注目すべき点は、医師からの医療解説情報の提供が頻繁に更新されていくことになる。多くの医師が医療解説情報を提供する毎に、Flashコンテンツ自体が更新されていくことなる。これは、日々進歩する医療技術に対応するためである。但し、ビジネス目的でもあるために、更新されたプロテクトコンテンツが第２の端末３へ送信される毎に、第２の端末の所有者識別子に対して課金処理が実行される。
【００６２】
以上、詳細に説明したように、本発明の医療解説情報公開方法、サーバ及びプログラムによれば、医師（医療機関）の間で、最新且つ有効な医療解説情報を多く収集すると共に、患者にその医療解説情報を容易に理解させるコンテンツを公開することができる。
【００６３】
本発明は、Ｗｅｂ２．０のように、多数の利用者の相互利用によってコンテンツが構築され、サービスが実現するようなシステムを、医師（医療機関）の間に提供するものである。そして、本発明は、医師の立場からは、ＩＣのために、実際の医療行為の時間自体を圧迫されることなく、患者の立場からは、医療解説情報を十分に理解した上で同意できる。また、本発明は、このシステムを、極めて低コストで実現することができる。
【００６４】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００６５】
【図１】実際の医療現場における納得診療ＩＣのやりとりを表す説明図である。
【図２】本発明におけるシステム構成図である。
【図３】本発明における情報公開サーバの機能構成図である。
【図４】本発明における医療解説情報公開方法の具体的なシーケンス図である。
【図５】本発明によって作成されたマルチメディアコンテンツのイメージ図である。
【符号の説明】
【００６６】
１  情報公開サーバ
１００  ネットワークインタフェース部
１０１  医療解説情報収集部
１０２  コンテンツ作成部
１０３  コンテンツ蓄積部
１０４  コンテンツ公開部
１０５  購入要求受信部
１０６  コンテンツプロテクト処理部
１０７  プロテクトコンテンツ送信部
１０８  課金処理部
２  第１の端末、医療解説情報提供側医師の端末
３  第２の端末、医療解説情報利用側医師の端末
４  インターネット
【図１】
2008123544.tif 000003
【図２】
2008123544.tif 000004
【図３】
2008123544.tif 000005
【図４】
2008123544.tif 000006
【図５】
2008123544.tif 000007